(57)【要約】【課題】連続撮影された画像と単独撮影された画像とを簡易な処理で識別可能に表示することができる画像表示装置とその方法ならびに撮像装置を提供する。【解決手段】撮影モードにおいて撮像部２により撮像された画像のデータが、撮像時刻を示すデータに関連付けてメモリカード５に格納される。そして、表示モードにおいて、メモリカード５に格納される複数の画像データから、この撮影時刻のデータに基づいて、所定の時間内で撮影された１つまたは複数の画像データがそれぞれグループとして抽出される。表示部７では、各画像データの画像が、この抽出されたグループごとに分けて表示される。【選択図】      図１
2006094284.tif 000002
【特許請求の範囲】
【請求項１】
撮影された画像のデータを、撮影の順序と撮影の時間間隔とに関わる第１のデータに関連付けて記憶する記憶手段と、
画像を表示する表示手段と、
上記記憶手段に格納される複数の画像データから、上記第１のデータに基づいて、所定の時間範囲内で撮影された１つまたは複数の画像データをグループとして抽出する処理、ならびに、上記画像データの画像を当該抽出したグループごとに分けて上記表示手段に表示させる処理を行う制御手段と、
を有することを特徴とする画像表示装置。
【請求項２】
画像を撮像する撮像手段と、
画像を表示する表示手段と、
記憶手段と、
上記撮像手段で撮像された画像のデータを、撮影の順序と撮影の時間間隔とに関わる第１のデータに関連付けて上記記憶手段に格納する第１の処理、上記記憶手段に格納される複数の画像データから、上記第１のデータに基づいて、所定の時間範囲内で撮影された１つまたは複数の画像データをグループとして抽出する第２の処理、ならびに、上記画像データの画像を当該抽出したグループごとに分けて上記表示手段に表示させる第３の処理を行う制御手段と
を有することを特徴とする撮像装置。
【請求項３】
上記第１のデータは、撮影の時刻に関わるデータを含む
ことを特徴とする請求項２に記載の撮像装置。
【請求項４】
上記制御手段は、上記第２の処理において、撮影の時間間隔が所定の時間範囲内にある少なくとも２つの画像データを同一のグループとして抽出する
ことを特徴とする請求項２または３の何れかに記載の撮像装置。
【請求項５】
上記制御手段は、上記第１の処理において、上記撮像手段で撮像された画像データをファイルとして上記記憶手段に格納し、上記第１のデータを、上記ファイルの格納領域の特定に用いられるデータに関連付けて上記記憶手段に格納する
ことを特徴とする請求項２乃至４の何れか１に記載の撮像装置。
【請求項６】
上記制御手段は、上記第１の処理において、上記撮像手段で撮像された画像データをファイルとして上記記憶手段に格納し、上記第１のデータを上記ファイル内の所定の領域に格納する
ことを特徴とする請求項２乃至４の何れか１に記載の撮像装置。
【請求項７】
上記制御手段は、上記第１の処理において、上記画像データの記録形式に関わる第２のデータを上記画像データに関連付けて上記記憶手段に格納し、上記第２の処理において、上記第２のデータに基づいて、上記記録形式が異なる画像データを別のグループとして抽出する
ことを特徴とする請求項２乃至６の何れか１に記載の撮像装置。
【請求項８】
上記制御手段は、上記第３の処理において、上記抽出された複数グループの画像がグループごとに並んで表示され、複数の画像データを含むグループについては、当該グループに属する少なくとも１つの画像データの画像が当該グループの代表画像として表示される上記表示手段の表示データを生成する
ことを特徴とする請求項２乃至７の何れか１に記載の撮像装置。
【請求項９】
ユーザーインターフェース手段を有し、
上記制御手段は、上記第３の処理において、上記抽出された複数グループの中から上記ユーザーインターフェース手段より入力されるユーザの指示に従って１つのグループを選択し、当該選択したグループに含まれる複数の画像データの画像を順次に切り替えて表示する上記表示手段の表示データを生成する
ことを特徴とする請求項２乃至８の何れか１に記載の撮像装置。
【請求項１０】
撮影の順序と撮影の時間間隔とに関わる第１のデータにそれぞれ関連付けられた複数の画像データから、上記第１のデータに基づいて、所定の時間範囲内で撮影された１つまたは複数の画像データをグループとして抽出する第１の工程と、
上記第１の工程において抽出されたグループごとに上記画像データの画像を分けて表示装置に表示させる第２の工程と、
を有することを特徴とする画像表示方法。
【発明の詳細な説明】
【技術分野】
【０００１】
本発明は、連続撮影された画像を表示可能な画像表示装置とその方法、ならびに、連続撮影が可能なデジタルカメラ等の撮像装置に関するものである。
【背景技術】
【０００２】
近年のデジタルカメラには、静止画像を１枚ずつ撮影する通常の撮影方法（以降、単独撮影と表記する。）に加えて、静止画像を一定の時間間隔で連続的に撮影する撮影方法（以降、連続撮影と表記する）が可能なものが増えている。
【０００３】
一般に、単独撮影のみのデジタルカメラでは、撮影された画像をその撮影順に連続したファイル名で記録している。また、記録した画像を再生する場合、ファイル名の順序（すなわち撮影順）で画像をディスプレイに表示させている。
【０００４】
一方、連続撮影をサポートするデジタルカメラの場合、単純に撮影順で画像を表示させると、ユーザが目的の画像を容易に検索できないという不利益が生じる。すなわち、２つの撮影方法で撮影された画像が混在している中で、これらの画像を１枚１枚表示させる、あるいは、単に画面上に並べて表示させる方法では、目的の画像を素早く見つけ出すことが困難である。
【０００５】
こうした不利益を改善するため、上記の２つの撮影方法で撮影された画像を画面上で容易に識別できるように表示する機能を有したデジタルカメラが幾つか提案されている。
例えば、連続撮影された一連の画像から１枚（例えば最初に撮影された画像）を選び、これを代表画像として表示させる方法がある。これにより、連続撮影された一連の画像を、ユーザが１つの画像群として容易に識別できるようになる。
また、連続撮影された一連の画像を順次に選択して再生する方法もある。これにより、連続撮影された一連の画像の中から所望の１枚を容易に見つけ出すことが可能になる。
更に、２つの撮影方法で撮影された画像を画面上に複数並べて表示させ、そのうち連続撮影された画像群についてはその代表画像のみを表示させる方法もある。これにより、１つの画面上において単独撮影された画像と連続撮影された画像とを容易に見分けることが可能になる。
【発明の開示】
【発明が解決しようとする課題】
【０００６】
ところで、上述の２つの撮影方法で撮影された画像を画面上で識別可能に表示させるためには、各画像を撮影方法に応じてグループ分けする必要がある。すなわち、同一のシーケンスで連続撮影された画像同士をグループ化し、他の連続撮影の画像群や単独撮影の画像と区別する必要ある。
【０００７】
しかしながら、従来のデジタルカメラにおいて、連続撮影された画像群を見分けるための情報は、一般に、画像ファイルの内部に付加情報として記録されている。画像を再生する際には、この付加情報を読み取って処理することにより、上述した画像のグループ分けを行っている。
この方法では、全ての画像ファイルを開いて内部の情報を読み出さなくてはならないため、処理が複雑になり、処理時間が長くなるという不利益がある。
【０００８】
本発明はかかる事情に鑑みてなされたものであり、その目的は、より簡易な処理で、連続撮影された画像と単独撮影された画像とを識別可能に表示することができる画像表示装置とその方法ならびに撮像装置を提供することにある。
【課題を解決するための手段】
【０００９】
上記の目的を達成するため、本発明の画像表示装置は、撮影された画像のデータを、撮影の順序と撮影の時間間隔とに関わる第１のデータに関連付けて記憶する記憶手段と、画像を表示する表示手段と、上記記憶手段に格納される複数の画像データから、上記第１のデータに基づいて、所定の時間範囲内で撮影された１つまたは複数の画像データをグループとして抽出する処理、ならびに、上記画像データの画像を当該抽出したグループごとに分けて上記表示手段に表示させる処理を行う制御手段とを有することを特徴とする。
【００１０】
本発明の撮像装置は、画像を撮像する撮像手段と、画像を表示する表示手段と、記憶手段と、上記撮像手段で撮像された画像のデータを、撮影の順序と撮影の時間間隔とに関わる第１のデータに関連付けて上記記憶手段に格納する第１の処理、上記記憶手段に格納される複数の画像データから、上記第１のデータに基づいて、所定の時間範囲内で撮影された１つまたは複数の画像データをグループとして抽出する第２の処理、ならびに、上記画像データの画像を当該抽出したグループごとに分けて上記表示手段に表示させる第３の処理を行う制御手段とを有することを特徴とする。
【００１１】
本発明の画像表示方法は、撮影の順序と撮影の時間間隔とに関わる第１のデータにそれぞれ関連付けられた複数の画像データから、上記第１のデータに基づいて、所定の時間範囲内で撮影された１つまたは複数の画像データをグループとして抽出する第１の工程と、上記第１の工程において抽出されたグループごとに上記画像データの画像を分けて表示装置に表示させる第２の工程とを有することを特徴とする。
【００１２】
上記第１のデータは、撮影の時刻に関わるデータを含んでも良い。
【００１３】
上記制御手段は、上記第２の処理において、撮影の時間間隔が所定の時間範囲内にある少なくとも２つの画像データを同一のグループとして抽出しても良い。
【００１４】
上記制御手段は、上記第１の処理において、上記撮像手段で撮像された画像データをファイルとして上記記憶手段に格納し、上記第１のデータを、上記ファイルの格納領域の特定に用いられるデータに関連付けて上記記憶手段に格納しても良い。
【００１５】
上記制御手段は、上記第１の処理において、上記撮像手段で撮像された画像データをファイルとして上記記憶手段に格納し、上記第１のデータを上記ファイル内の所定の領域に格納しても良い。
【００１６】
上記制御手段は、上記第１の処理において、上記画像データの記録形式に関わる第２のデータを上記画像データに関連付けて上記記憶手段に格納し、上記第２の処理において、上記第２のデータに基づいて、上記記録形式が異なる画像データを別のグループとして抽出しても良い。
【００１７】
上記制御手段は、上記第３の処理において、上記抽出された複数グループの画像がグループごとに並んで表示され、複数の画像データを含むグループについては、当該グループに属する少なくとも１つの画像データの画像が当該グループの代表画像として表示される上記表示手段の表示データを生成する
【００１８】
上記本発明は、ユーザーインターフェース手段を有しても良い。そして、上記制御手段は、上記第３の処理において、上記抽出された複数グループの中から上記ユーザーインターフェース手段より入力されるユーザの指示に従って１つのグループを選択し、当該選択したグループに含まれる複数の画像データの画像を順次に切り替えて表示する上記表示手段の表示データを生成しても良い。
【発明の効果】
【００１９】
本発明によれば、撮影の順序と撮影の時間間隔とに関わるデータに基づいて画像データをグループ化することにより、連続撮影された画像と単独撮影された画像とを簡易な処理で識別可能に表示することができる。
【発明を実施するための最良の形態】
【００２０】
以下、本発明の実施形態について、図面を参照しながら説明する。
【００２１】
図１は、デジタルカメラに適用された本実施形態に係る画像表示装置ならびに撮像装置の一構成例を示す図である。
また図２は、図１に示すデジタルカメラの外観の一例を示す図である。図２（Ａ）はデジタルカメラの背面図を示し、図２（Ｂ）はその正面図を示す。
【００２２】
図２に示すデジタルカメラは、その筐体の背面に、後述する表示部７のスクリーン１０１や、上下左右の操作キー１０２、ズーム率の設定に用いられるボタン１０３、動作モード（撮影モード、表示モード）の選択用のスイッチ１０４などが配置されている。
筐体の上側面には、撮影開始時に押されるレリーズボタン１０５や、連続撮影を行う際に押される連写ボタン１０６などが配置されている。
筐体の正面には、後述する撮像部２の光学系１０１や、ストロボ部１４のフラッシュランプ１０８などが配置されている。
【００２３】
図１に示すデジタルカメラは、制御部１と、撮像部２と、メモリ３と、外部インターフェース部４と、メモリカード５と、メモリカード・インターフェース部６と、表示部７と、マイク８と、スピーカ９と、音声処理部１０と、測光・調光部１１と、ストロボ部１２と、キー入力部１３と、ＬＥＤ表示部１４と、電源部１５とを有する。
制御部１は、本発明の制御手段の一実施形態である。
撮像部２は、本発明の撮像手段の一実施形態である。
メモリカード５は、本発明の記憶手段の一実施形態である。
表示部７は、本発明の表示手段の一実施形態である。
キー入力部１３は、本発明のユーザーインターフェース手段の一実施形態である。
【００２４】
撮像部２は、制御部１の制御に従って被写体の画像を撮像し、画像データを生成する。
【００２５】
撮像部２は、例えば図１に示すように、ズームレンズ２１と、オートフォーカス２２と、ＣＣＤ２３と、ＣＣＤ信号処理部２４と、回転位置センサ２５と、ズームモータ２６と、オートフォーカスモータ２７と、モータドライバ２８および２９とを有する。
【００２６】
ズームレンズ２１は、被写体の像をＣＣＤ２８の受光面に導く光学系の一部であり、像の倍率を調節する。
ズームモータ２３は、図示しないズーム機構を駆動することによってズームレンズ２１の位置を動かし、ＣＣＤ２８に入射される被写体像のズーム率を変化させる。
モータドライバ２５は、制御部１の制御に従ってズームモータ２３を駆動する。
【００２７】
オートフォーカスレンズ２２は、被写体の像をＣＣＤ２８の受光面に導く光学系の一部であり、像の焦点を調節する。
オートフォーカスモータ２４は、図示しないオートフォーカス機構を駆動することによってオートフォーカスレンズ２２の位置を動かし、ＣＣＤ２８に入射される被写体像の焦点を変化させる。
モータドライバ２６は、制御部１の制御に従ってオートフォーカスモータ２４を駆動する。
【００２８】
回転位置センサ２７は、ズームモータ２３やオートフォーカスモータ２４の回転位置を検出し、検出結果を制御部１に出力する。
【００２９】
ＣＣＤ２８は、光学系を通過して受光面に入射された被写体の像を画像信号に変換する。
ＣＣＤ信号処理部２９は、ＣＣＤ２８より出力される画像信号に所定のアナログ信号処理を施し、デジタルの画像データに変換する。
【００３０】
メモリ３は、例えば制御部１に含まれるコンピュータの実行プログラムや、制御部１の処理過程で一時的に利用されるデータなどを記憶する。メモリ３には、例えば、ＳＲＡＭやＤＲＡＭなどが用いられる。
【００３１】
外部インターフェース部４は、制御部１の制御に従って外部の装置と通信を行う。例えばＵＳＢ（universal serial bus）等の通信規格に基づいて外部の装置と通信し、画像ファイル等のデータを交換する。
【００３２】
メモリカード５は、着脱可能な記録媒体であり、メモリカード・インターフェース部６に装着された状態で制御部１にアクセスされる。メモリカード５は、例えばフラッシュメモリなどの不揮発性メモリを内蔵しており、電源が供給されない状態でも保存が必要なデータ（例えば画像ファイルなど）を格納するために用いられる。
メモリカード・インターフェース部６は、制御部１とメモリカード５とを接続し、制御部１によるメモリカード５へのアクセスを中継する。
【００３３】
表示部７は、制御部１から供給される画像データから画像を再生して表示する。表示部７には、例えば液晶ディスプレイやＥＬディスプレイなどが用いられる。
【００３４】
マイク８は、入力される音声を電気信号に変換して音声処理部１０に出力する。
スピーカ９は、入力される電気信号を音声に変換して出力する。
音声処理部１０は、静止画や動画の撮影とともに周囲の音を録音する場合、マイク８から入力される音声信号に所定のアナログ信号処理を施してデジタルデータに変換し、制御部１に出力する。また、静止画や動画を表示部７において表示させる場合、その撮影時に録音された音声データを制御部１から入力して音声信号に変換し、スピーカ９に出力する。
【００３５】
測光・調光部１１は、撮像部２において画像を撮像する際、撮影対象の光の強度を測定し、測定結果を制御部１に出力する。
【００３６】
ストロボ部１２は、撮像部２において画像を撮像する際、撮影対象を照らすためのストロボ光を発生する。
【００３７】
キー入力部１２は、押ボタンやスイッチ等の操作によって入力されるユーザの指示を制御部１に伝える。
【００３８】
ＬＥＤ表示部１４は、デジタルカメラの動作状態等をユーザに通知するために設けられたＬＥＤを制御部１の制御に従って駆動し、これを発光させる。
【００３９】
電源部１５は、図示しない電池やバッテリーから供給される電力に基づいて、デジタルカメラの各回路に電源電圧を供給する回路であり、電池の残量等の情報を制御部１に出力する。
【００４０】
制御部１は、デジタルカメラの全体的な動作を制御するユニットである。例えば、プログラムに基づいて処理を実行するコンピュータ等の処理装置を含む。
制御部１は、撮影モードと表示モードの２つの動作モードにおいて、次のような処理を行う。
【００４１】
撮影モードにおいて、制御部１は、撮像部２に静止画や動画を撮像させてその画像データを取得する処理を行う。
【００４２】
例えば、制御部１は、キー入力部１３のボタン１０３の操作に従ってモータドライバ２５を駆動し、被写体像のズーム率を調節する。また、モータドライバ２６を駆動して、被写体像の焦点を自動制御する。そして、キー入力部１２のレリーズボタン１０５が押されると同時に、ＣＣＤ２８において被写体像を撮像させ、その画像データを取得する。この時、ＣＣＤ２８のシャッター時間を、測光・調光部１１の測定結果に応じて調節する。また、静止画の撮影において上記の測定結果から被写体を照らす必要があると判断した場合は、撮像と同時にストロボ部１２を発光させて、被写体の照度を高める。
【００４３】
また、制御部１は、撮影時に音声の録音を行う場合、マイク８から入力される音声信号を音声信号処理部１０において処理させ、その処理結果の音声データを取得する。
【００４４】
画像や音声のデータを取得すると、次に制御部１は、取得したデータに圧縮符号化等の所定のデータ処理を施した後、ＪＰＥＧ形式等の画像ファイルとしてメモリカード５に格納する処理を行う。
【００４５】
図３は、メモリカード５の記録フォーマットの一例を示す図である。
図３の例は、例えば米国マイクロソフト社のＭＳ−ＤＯＳ（登録商標）などのオペレーティングシステムで扱われている一般的な記録フォーマットであり、記憶領域の先頭から順に、ブートセクタ領域２０１、パーティションセクタ領域２０２、ファイルアロケーションテーブル（ＦＡＴ）２０３および２０４、ルートディレクトリ領域２０５およびデータ領域２０６が配置される。記憶領域へのアクセスはクラスタ単位で行われる。
【００４６】
ブートセクタ領域２０１には、オペレーティングシステムの起動に必要な情報が格納される。
パーティションセクタ領域２０２には、記憶領域をパーティションに分割して管理する際に必要となる各パーティションの情報が格納される。
【００４７】
ファイルアロケーションテーブル２０３および２０４には、各クラスタに分割して格納されるファイルやディレクトリを管理するための情報が格納される。
【００４８】
ルートディレクトリ領域２０５には、階層ディレクトリ構造における最上層のディレクトリ（ルートディレクトリ）下のファイルやサブディレクトリを管理するための情報が格納される。
【００４９】
データ領域２０６には、ユーザによって作成される各種のファイルとその管理情報（ディレクトリエントリ）が含まれる。例えば図３の例では、画像ファイル領域２０８とそのディレクトリエントリ２０７が含まれる。
ディレクトリエントリ２０７には、サブディレクトリ下の画像ファイルやサブディレクトリを管理するための情報が格納される。
画像ファイル領域２０８には、画像データがファイルとして格納される。例えば、撮像モードにおいて取得された画像データ（２１０−１，２１０−２，２１０−３，…）が、Ｅｘｉｆ（exchangeable image file format）などの画像フォーマットにおいて規定されたヘッダ情報（２０９−１，２０９−２，２０９−３，…）とともに画像ファイルとして格納される。
【００５０】
図４は、ルートディレクトリ領域２０５やディレクトリエントリ２０７に格納されるファイルの管理情報の一例を示す図である。
１つのファイルの管理情報には、ファイル名とその拡張子、ファイル属性、作成時刻、作成日付、最新更新時刻、最新更新日付、開始クラスタ番号、ファイルサイズといった情報が含まれている。
なお、開始クラスタ番号は、記憶領域中においてファイルが格納されるクラスタを特定するための番号である。この番号で特定されるクラスタが、読み出しの際に最初にアクセスされる。他のクラスタの番号は、先に述べたファイルアロケーションテーブル２０３および２０４に格納される。
【００５１】
図５は、最新更新時刻および最新更新日付の詳細なデータ構造の一例を示す図である。
図５の例において、最新更新時刻および最新更新日付のデータは何れも１６ビット長である。
最新更新時刻データの上位５ビットは「時間」、次の６ビットは「分」、下位５ビットは「秒」を示す。ただし、「秒」のデータは、実際の時刻における「秒」を整数‘２’で割った値を有しており、具体的には‘０’〜‘２９’までの整数値を有する。
最新更新日付データの上位７ビットは「西暦」、次の４ビットは「月」、下位５ビットは、「日」を示す。
【００５２】
制御部１は、撮影モードにおいて取得した画像データをメモリカード５に格納するとき、上述した最新更新時刻や最新更新日付のデータをその時点の値に更新する。これにより、制御部１は、撮像部２で撮像された画像のデータを、撮像時刻のデータ（最新更新時刻データ、最新更新日付データ）に関連付けてメモリカード５に格納する。
【００５３】
また、制御部１は、撮像部２で撮像された画像データをファイルとしてメモリカード５に格納する際、そのファイル名に、撮影順序を示す情報を含める。
例えば、ＤＣＦ（design rule for camera file system）と称されるデジタルカメラ用の画像フォーマットに従って、
ＫＩＦ＿０００１．ＪＰＧ；
ＫＩＦ＿０００２．ＪＰＧ；
ＫＩＦ＿０００３．ＪＰＧ；
ＫＩＦ＿０００４．ＪＰＧ；
…  
というように、撮影の度ごとに１ずつ値が加算される数値を含んだファイル名を与える。
【００５４】
更に、制御部１は、画像データの記録形式に関わるデータを画像データに関連付けてメモリカード５に格納する。例えば、ディレクトリエントリ２０７に格納するファイル名や拡張子に、画像データの記録形式を示す情報を含める。
上述した「ＫＩＦ＿ＸＸＸＸ．ＪＰＧ」（‘ＸＸＸＸ’は数字を示す）というファイル名を例に挙げると、末尾の‘ＪＰＧ’という拡張子が画像データの記録形式を示す。
【００５５】
制御部１がメモリカード５に格納する画像ファイルには、画像データの他に、例えば図６に示すような撮影条件に係わる情報も含まれる。
すなわち、画像ファイル名、撮影したデジタルカメラのメーカー名，製品名、撮影日時、レンズＦ値、露出制御モード、ＩＳＯ感度、シャッタースピード、レンズ絞り値、フラッシュ点灯の有無といった情報が、例えばヘッダ情報２０９やディレクトリエントリ２０７の中に記録される。
【００５６】
一方、表示モードにおいて、制御部１は、メモリカード５に格納される複数の画像データから、先に述べた撮影時刻データ（最新更新時刻データ、最新更新日付データ）に基づいて、所定の時間範囲内で撮影された１つまたは複数の画像データをグループとして抽出する処理を行う。
【００５７】
例えば、制御部１は、撮像の時間間隔が所定の時間範囲内（例えば２秒以内）にある２つの画像データを同一のグループとして抽出する。
【００５８】
また、制御部１は、ファイル名に含まれる撮影順序の情報に基づいて、連続して撮影されたものでないと判定される画像データを別のグループとして抽出する。
【００５９】
更に、制御部１は、画像データと関連付けてメモリカード６に格納される画像データの記録形式の情報（例えば、拡張子を示すデータ）に基づいて、記録形式が異なる画像データを別のグループとして抽出する。
【００６０】
例えば、制御部１は、ファイル名の順番において前後に並ぶ２つの画像ファイル同士を、この順番の最初（もしくはその最後）から順に比較していき、両者が同一の記録形式を有しているか否かを検査する。記録形式が一致していない場合（例えば‘ＫＩＦ＿０００２．ＪＰＧ’と‘ＫＩＦ＿０００３．ＰＮＧ’など）、この２つのファイルは別のグループに属する（すなわち同一シーケンスで連続撮影された画像のファイルでない）ものと判定する。
次いで、制御部１は、前後２つのファイル名を比較し、その連続性を検査する。ファイル名が連続していない場合（例えば‘ＫＩＦ＿０００２．ＪＰＧ’と‘ＫＩＦ＿０００５．ＪＰＧ’など）、この２つのファイルは別のグループに属するものと判定する。
２つのファイルが同一の記録形式を有し、かつファイル名が連続していると判定した場合、制御部１は、ディレクトリエントリから撮影時刻データ（最新更新時刻データ、最新更新日付データ）を取得し、撮像の時間間隔が所定の時間範囲内（例えば２秒以内）にあるか否かを判定する。そして、所定範囲内にある場合は両者を同一グループと判定し、そうでない場合は両者を別グループと判定する。
【００６１】
このようなグループ抽出処理を行うことによって、単独撮影の画像はそれぞれ１つのグループを形成し、連続撮影の画像は複数で１つのグループを形成する。
【００６２】
グループ抽出処理を行うと、次に制御部１は、メモリカード５の画像ファイルにアクセスして画像データを読み出す処理を行う。
【００６３】
すなわち、制御部１は、ディレクトリエントリ２０７を参照して開始クラスタ番号を取得し、この番号に対応するクラスタから画像データを取得する。画像データが複数のクラスタに分割されている場合は、開始クラスタ番号に続く他のクラスタ番号をファイルアロケーションテーブル２０３から取得し、それぞれの番号に対応するクラスタから画像データの断片を取得する。
表示部７に複数の画像を表示させる場合は、上述した画像データの取得処理を繰り返す。例えば表示部７に３つの画像を表示する場合、制御部１は、表示に必要な画像データ２１０−２、２１０−３をそれぞれディレクトリエントリ７の情報に基づいて取得する。
【００６４】
制御部１は、読み出した画像データに例えばＪＥＰＧ復号化等の処理を施して、表示部７の表示データを生成する。
この場合、制御部１は、各画像を抽出したグループごとに分けて表示部７に表示させる。
【００６５】
例えば、制御部１は、抽出された複数グループの画像を表示部１の画面１０１上にグループごとに並べて表示させる（この表示方法を、以降ではグループ表示と呼ぶ）。このとき、複数の画像データを含む連続撮影のグループについては、当該グループに属する少なくとも１つの画像データの画像（例えば最初に撮影された画像のみ）を、このグループの代表画像として表示部１０１に表示させる。
【００６６】
また、制御部１は、上記のようにして抽出された複数グループの画像を、１グループずつ画面１０１上に表示させる（この表示方法を、以降ではシングル表示と呼ぶ）。この場合、連続撮影のグループについては、グループ表示と同様に、選択した一部の画像を代表画像として表示させても良いし、もしくは、画面１０１上にグループ中の全ての画像を並べて表示させても良い。
【００６７】
更に、制御部１は、グループ表示やシングル表示を行っているときに、操作キー１０２（図２）などの操作によって、１つの連続撮影グループを選択する指示がキー入力部１３より入力されると、この選択された連続撮影グループに含まれている複数の画像を表示部７において順次に切り替えて表示させる。例えば、ファイル名に含まれる撮影順序の情報に基づいて、複数の画像をその撮影順に切り替えて表示させる（この表示方法を、以降では連続表示と呼ぶ）。
【００６８】
その他、制御部１は、上述のようにグループごとに分けて画像を表示する他に、各画像を１枚ずつ独立に表示することも可能である。例えば、複数の画像を表示部１の画面１０１上に１つずつ並べて表示させる（この表示方法を、以降ではマルチ表示と呼ぶ）。
【００６９】
制御部１は、上述した幾つかの表示態様（グループ表示、シングル表示、マルチ表示）から、キー入力部１３より入力されるユーザの指示に従って、１つの表示態様を選択する。
以上が、制御部１の説明である。
【００７０】
ここで、上述した構成を有する図１に示すデジタルカメラの動作について、撮影モードと表示モードに分けて説明する。
【００７１】
（撮影モード）
静止画の撮影モードは、キー入力部１３のスイッチ１０４の操作によって選択される。
静止画の撮影モードに入ると、レリーズボタン１０５が押される度に、撮像部２において画像が１枚撮像され、画像データが取得される。この単独撮影によって取得された画像データは、制御部１において圧縮符号化等のデータ処理を施され、例えばＪＰＥＧ形式のファイルとしてメモリカード５に格納される。その際、ディレクトリエントリ２０７には、最新更新時刻や最新更新日付などのデータが記録される。
【００７２】
また、撮影モードにおいて連写ボタン１０６が押されると、レリーズボタン１０５の押下によって連続撮影が開始される。
【００７３】
図７は、連続撮影処理の一例を図解した図である。
電源がオンの状態（ＳＴ１０１）でスイッチ１０４の操作により静止画の撮影モードが選択されると（ＳＴ１０２）、先に述べたような単独撮影が可能な状態になる。この状態で、更に連写ボタン１０６が押されると（ＳＴ１０３）、その後にレリーズボタン１０５が押されると同時に、連写記録処理ＳＴ１０５が開始される。
【００７４】
連写記録処理ＳＴ１０５が開始されると、例えば図８に示すように、撮像部２において一定時間ごとに撮像が行われる（ＳＴ２０１−１，ＳＴ２０１−２，…）。撮像によって取得された画像データは、制御部１において順次に圧縮符号化され（ＳＴ２０２−１，ＳＴ２０２−２，…）、画像ファイルとしてメモリカード５に記録される（ＳＴ２０３−１，ＳＴ２０３−２，…）。記録の際には、単独撮影時と同様に、最新更新時刻や最新更新日付のデータなどのデータがディレクトリエントリ２０７に記録される。これらの処理（撮像、圧縮、記録）は、例えば図８に示すように並列に実行される。
連写記録処理ＳＴ１０５は、例えばレリーズボタン１０５が押される間続けられる。
【００７５】
（表示モード）
図９は、表示モードにおける処理の一例を図解した図である。
電源がオンの状態（ＳＴ３０１）で、スイッチ１０４の操作により表示モードが選択されると（ＳＴ３０２）、制御部１によってメモリカード３０３のディレクトリエントリ２０７がアクセスされ（ＳＴ３０３）、そこに格納される情報に基づいて、所定の時間範囲内で撮影された１つまたは複数の画像をグループとして抽出する処理が行われる（ステップＳＴ３０４）。この処理により、連続撮影の画像および単独撮影の画像が撮影ごとにグループとして抽出される。
【００７６】
グループ抽出処理ＳＴ３０４では、例えば図１０に示すように、ファイル名の順序において前後に並ぶ２つの画像ファイルが、先頭から（あるいは末尾から）順番に選び出される（ＳＴ４０１）。
先に挙げたファイル名の例を使って説明すると、
‘ＫＩＦ＿００００．ＪＰＧ’と‘ＫＩＦ＿０００１．ＪＰＧ’；
‘ＫＩＦ＿０００１．ＪＰＧ’と‘ＫＩＦ＿０００２．ＪＰＧ’；
…  
というように、前後に並ぶ画像ファイルのペアが順番に選び出される。
【００７７】
２つの画像ファイルが選ばれると、まず、このファイルが同一の記録形式を有しているか否か判定される（ステップＳＴ４０２）。例えば、ファイルの名前に含まれる記録形式を示す部分（上述の例では拡張子‘ＪＰＧ’など）が互いに一致しているか否か判定される。
一致していない場合、２つの画像ファイルは別のグループと判定される（ステップＳＴ４０８）。
【００７８】
なお、ステップＳＴ４０８では、記録形式が所定の形式（例えばＪＰＥＧ形式）を有していない場合、２つの画像ファイルを別グループとして判定しても良い。例えば、２つの画像ファイルが共に‘ＪＰＧ’でない場合、これらを別グループと判定しても良い。
【００７９】
２つの画像ファイルが同一の記録形式を有している場合、次に、両者の画像が連続して撮影されたものであるか否かが判定される。この判定は、例えば、両者のファイル名が連続しているか否かに基づいて行われる。
【００８０】
ファイル名が連続しているか否かの判定では、ファイルが格納されているサブディレクトリの名前を考慮しても良い。例えば、ＤＣＦに準拠して画像ファイルが作成されている場合、サブディレクトリ‘１００ＫＣＢＯＸ’の下に格納されているファイル‘ＫＩＦ＿９９９９．ＪＰＧ’と、サブディレクトリ‘１０１ＫＣＢＯＸ’に格納されているファイル‘ＫＩＦ＿０００１．ＪＰＧ’とが連続していると判定しても良い。
【００８１】
ファイル名が連続していない場合、２つの画像ファイルは別グループと判定される（ステップＳＴ４０８）。
【００８２】
２つの画像ファイルが同一の記録形式を有し、かつ連続して撮影されていると判定された場合、次に、両者の撮像時刻のデータ（最新更新時刻データ、最新更新日付データ）が完全に一致しているか否かが判定される（ステップＳＴ４０５）。このデータ比較は、互いのビット同士の一致、不一致を判定する単純な処理であるため、高速に結果が得られる。
両者が完全に一致している場合、２つの画像ファイルは同一グループと判定される（ステップＳＴ４０９）。
【００８３】
両者の撮影時刻のデータ（最新更新時刻データ、最新更新日付データ）が完全に一致していない場合、次に、秒以外のデータ（年、月、日、時間、分）が全てしており、かつ秒の差が２秒以内であるか否かが判定される（ステップＳＴ４０６）。例えば図５に示すようなデータ構造で最新更新時刻データおよび最新更新日付データが格納されている場合、秒データの最下位ビットを除く他の全てのビットが一致しているか否か判定される。このデータ比較も、互いのビット同士の一致、不一致を判定する単純な処理であるため、高速に結果が得られる。
両者の時刻差が２秒以内の場合、２つの画像ファイルは同一グループと判定される（ステップＳＴ４０９）。
【００８４】
ステップＳＴ４０５およびＳＴ４０６の条件を満たさない場合、次に、２つの秒データの一方が０秒、他方が５８秒になっていることを条件として、両者の撮影時刻の差が算出される。この場合、年、月、日、時間、分、秒の全てを考慮した絶対時刻の差が算出される。算出された時間差が２秒以内の場合、２つの画像ファイルは同一グループと判定される（ステップＳＴ４０９）。
【００８５】
両者の撮影時刻がステップＳＴ４０５、ＳＴ４０６およびＳＴ４０７の何れの条件も満たしていない場合、この２つの画像ファイルは別グループと判定される（ステップＳＴ４０８）。
【００８６】
グループの判定（ステップＳＴ４０８、ＳＴ４０９）が終わると、再びステップＳＴ４０１に戻って次の画像ファイルが選択され、上述した処理（ステップＳＴ４０２〜ＳＴ４０９）が繰り返される。
【００８７】
ここで、グループ抽出処理の具体例について、図１１を参照して説明する。図１１は、ディレクトリエントリ２０７に記録されるデータの具体例を示す。
【００８８】
グループＧ１の各ファイルは、ステップＳＴ４０５またはＳＴ４０６において撮影の時間間隔が２秒以内とみなされるため、同一のグループと判定される。
【００８９】
グループＧ２の各ファイルは、ステップＳＴ４０５またはＳＴ４０６の条件において撮影の時間間隔が２秒以内とみなされるため、同一のグループと判定される。
グループＧ１とグループＧ２は、撮影の時間間隔が２秒より離れているため、互いに別のグループと判定される。
【００９０】
グループＧ２とグループＧ３はファイル名が連続していない（‘ＫＩＦ＿０００８．ＪＰＧ’と‘ＫＩＦ＿００１０．ＪＰＧ’）ため、ステップＳＴ４０３の条件を満たさない。よって、両者は別グループと判定される。
【００９１】
グループＧ３とグループＧ４は、ファイルの記録形式が異なる（‘ＫＩＦ＿００１０．ＪＰＧ’と‘Ｒ＿ＫＣ００１１．ＰＮＧ’）ため、ステップＳＴ４０の条件を満たさない。よって、両者は互いに別のグループと判定される。
【００９２】
グループＧ５の各ファイルは、ステップＳＴ４０６またはＳＴ４０７において撮影の時間間隔が２秒以内とみなされるため、同一のグループと判定される。すなわち、グループＧ５の前半の２ファイル（‘ＫＩＦ＿９９９７．ＪＰＧ’と‘ＫＩＦ＿９９９８．ＪＰＧ’）はステップＳＴ４０７の条件を満たし、後半の３ファイル（‘ＫＩＦ＿９９９８．ＪＰＧ’，‘ＫＩＦ＿９９９９．ＪＰＧ’，‘ＫＩＦ＿０００１．ＪＰＧ’）についてはステップＳＴ４０６の条件を満たす。
なお、ファイル‘ＫＩＦ＿９９９９．ＪＰＧ’および‘ＫＩＦ＿０００１．ＪＰＧ’は、サブディレクトリ名も考慮して、ステップＳＴ４０３の条件（ファイル名連続）を満たしていると判定される。
また、グループＧ４とグループＧ５は、撮影の時間間隔が２秒以上離れているため、互いに別グループと判定される。
【００９３】
グループＧ５とグループＧ６は、撮影の時間間隔が２秒以上離れているため、互いに別グループと判定される。
【００９４】
グループＧ６とグループＧ７は、撮影の時間間隔が２秒以内であるが、格納されるサブディレクトリが異なる（‘１０１ＫＣＢＯＸ’と‘１０２ＫＣＢＯＸ’）ため、ステップＳＴ４０３の条件を満たさない。よって、両者は別グループと判定される。
【００９５】
このようなグループ抽出処理の結果、図１１の例では、グループＧ１、Ｇ２、Ｇ５が連続撮影のグループとして抽出され、グループＧ３、Ｇ４、Ｇ６、Ｇ７が単独撮影のグループとして抽出される。
以上が、グループ抽出処理（ステップＳＴ３０４）の説明である。
【００９６】
図９に戻る。
グループ抽出処理がなされると、次に、メモリカード５に格納された画像ファイルの１つ、例えば先頭の画像ファイルから画像データが読み出され、その画像が表示部７に表示される（ステップＳＴ３０５）。その際、表示された画像が連続撮影のグループに所属するならば、後述する連続表示処理が実行される（ＳＴ３０６）。
【００９７】
画像の表示が行われると、次に、キー入力部１３の操作（例えばスイッチ１０４の操作）によって、表示方法を指定するユーザの指示が入力される（ステップＳＴ３０７）。表示方法は、シングル表示（ステップＳＴ３０８）、マルチ表示（ステップＳＴ３０９）、グループ表示（ステップＳＴ３１０）の中から１つが選択される。
【００９８】
シングル表示では、画像が１枚ずつ画面１０１上に表示される。操作キー１０２によって次の画像ファイルや前の画像ファイルが選択されると、これに応じて画像の表示が切り替えられる。
【００９９】
マルチ表示では、例えば図１２に示すように、各画像がファイル名の順序で画面１０１上に複数並んで表示される。
図１２の例では、６枚の画像（ＰＩＣ２−５，ＰＩＣ３，ＰＩＣ４，ＰＩＣ５−１，ＰＩＣ５−２，ＰＩＣ６）が画面１０１上に２行３列に配置されている。
６枚の画像のうち、画像ＰＩＣ３、ＰＩＣ４、ＰＩＣ６は単独撮影されたものであり、それぞれ独立のグループを形成する。
画像ＰＩＣ２−５は、図示しない他の４枚の画像（ＰＩＣ２−１〜ＰＩＣ２−４）とともに、１つの連続撮影のグループを形成する。
画像ＰＩＣ５−１およびＰＩＣ５−２は、１つの連続撮影のグループを形成する。
図１２に示すように、マルチ表示では、連続撮影された画像も１枚ずつ表示される。
【０１００】
なお、図１２の例において画像とともに表示されるマークＭ１〜Ｍ４は、画像に付随する種々の情報を示している。
すなわち、マークＭ１は、画像ファイルの消去が禁止されていることを示す。
マークＭ２は、画像が動画であることを示す。
マークＭ３は、音声が録音されていることを示す。
マークＭ４は、印刷された画像であるか否かを示す。
【０１０１】
グループ表示では、例えば図１３に示すように、複数グループの画像が、画面１０１上にグループごとに複数並んで表示される。
図１２の例では、６枚の画像（ＰＩＣ１、ＰＩＣ２−１，ＰＩＣ３，ＰＩＣ４，ＰＩＣ５−１，ＰＩＣ６）が画面１０１上に２行３列に配置されている。
画像ＰＩＣ１、ＰＩＣ３、ＰＩＣ４、ＰＩＣ６は単独撮影されたものであり、それぞれ独立のグループを形成する。
画像ＰＩＣ２−１は、図示しない他の４枚の画像（ＰＩＣ２−１〜ＰＩＣ２−４）とともに、１つの連続撮影のグループを形成する。画像ＰＩＣ２−１は、このグループの代表画像として表示されている。
画像ＰＩＣ５−１は、図示しない他の１枚の画像（ＰＩＣ５−２）とともに、１つの連続撮影のグループを形成する。画像ＰＩＣ５−１は、このグループの代表画像として表示されている。
【０１０２】
図１３の例において画像とともに表示されるマークＭ１〜Ｍ５は、画像に付随する種々の情報を示しており、マークＭ１〜Ｍ４については図１２の例と同じである。
マークＭ５は、この画像が連続撮影グループに所属することを示す。マークＭ５の横に表示される‘×５’や‘×２’の記号は、連続撮影グループに含まれる画像の枚数を示す。
【０１０３】
このようにして表示方法が選択されると、次に、キー入力部１３の操作（例えば操作キー１０２の操作）によって、画像を選択するユーザの指示が入力される（ステップＳＴ３１１）。
そして、この選択された画像が表示されている状態で連写ボタン１０６が押されると、ステップＳＴ３０６と同様に連続表示処理ＳＴ３１３が実行される。
【０１０４】
図１４は、連続表示処理（ステップＳＴ３０６、ＳＴ３１３）の一例を図解した図である。
まず、表示中の画像が、連続撮影のグループに所属しているか否かが判定される（ステップＳＴ５０１）。連続撮影のグループに所属していない、すなわち単独撮影された画像の場合、連続表示処理は行われない。
【０１０５】
表示中の画像が連続撮影グループに属する場合、次に述べるステップＳＴ５０２〜ＳＴ５０６のループ処理が所定の終了条件を満たすまで繰り返される。
【０１０６】
まず、ファイル名の順序において現在表示中の画像に対する次の画像が、連続表示処理の開始時に表示された画像であるか否か判定される（ステップＳＴ５０２）。次の画像が開始時の表示画像である場合は、画像の表示が一巡りしたことになるため、終了条件を満たしたと判断されて、ステップＳＴ５０２〜ＳＴ５０６のループ処理が終了する。ループ処理が終了すると、画面１０１には、連続表示処理の開始時の画像が表示される（ステップＳＴ５０８）。
【０１０７】
次の画像が開始時の画像でない場合、この画像が同じ連続撮影グループに属しているか否かが判定される（ステップＳＴ５０３）。同じ連続撮影グループに属していない場合、次の画像として開始時の表示画像が設定され（ステップＳＴ５０４）、ステップＳＴ５０２に戻る。これにより、ステップＳＴ５０２において次の画像が開始時の表示画像と判定されてループ処理が終了し、開始時の画像が表示される（ステップＳＴ５０８）。
【０１０８】
次の画像が同じ連続撮影グループに所属している場合、現在表示中の画像が次の画像に切り替えられて表示される（ステップＳＴ５０５）。
【０１０９】
次いで、操作キー１０２に含まれる特定のボタン（例えば中央のメニューボタン）がユーザによって押されているか否かが判定される（ステップＳＴ５０７）。メニューボタンが押されていると判定された場合、ステップＳＴ５０２〜ＳＴ５０６のループ処理が終了する。ループ処理が終了すると、画面１０１には、メニューボタンが押されたときの画像がシングル表示される（ステップＳＴ５０７）。
【０１１０】
ステップＳＴ５０２〜ＳＴ５０６のループ処理は、ステップＳＴ５０２およびＳＴ５０６の条件の他に、例えば連写ボタン１０６が押されることによって終了する。
【０１１１】
図１５は、連続表示処理における画面表示の一例を図解した図である。
連続撮影グループに属する５枚の画像ＰＩＣ２−１〜ＰＩＣ２−５は、ファイル名の順番（すなわち撮影された順番）で、順に切り替えられながら表示される。
例えば、連続表示処理の開始時に画像ＰＩＣ２−２が表示されているものとすると、
ＰＩＣ２−２，ＰＩＣ２−３，ＰＩＣ２−４，ＰＩＣ２−５，ＰＩＣ２−１，ＰＩＣ２−２；
の順に画像が切り替えられ、開始時の画像ＰＩＣ２−２を表示した状態で連続表示処理が終了する。
【０１１２】
以上説明したように、本実施形態によると、撮影モードにおいて撮像部２により撮像された画像のデータが、撮像時刻を示すデータ（最新更新時刻、最新更新日付）に関連付けてメモリカード５に格納される。そして、表示モードにおいて、メモリカード５に格納される複数の画像データから、この撮影時刻のデータに基づいて、所定の時間範囲内で撮影された１つまたは複数の画像データがグループとして抽出される。これにより、連続撮影により取得された一連の画像データならびに単独撮影により取得された画像データが、それぞれグループとして抽出される。表示部７では、各画像データの画像が、この抽出されたグループごとに分けて表示される。
すなわち、本実施形態によれば、従来の一般的な記録フォーマットにおいて本体データの記録時に作成される時刻のデータを利用して、連続撮影の画像と単独撮影の画像とをグループ化することが可能であり、従来の方法のように、各画像データに特殊なグループの情報を付加したりこれを読み出したりする必要がない。そのため、こうした特殊な付加情報を扱う必要がある従来の方法に比べてより簡易な処理で、連続撮影の画像と単独撮影の画像とをグループ化し、両者を識別可能に表示することができる。
【０１１３】
また、一般的な記録フォーマットで作成される時刻データを利用して画像のグループ化を行うことができるため、画像データに特殊なグループ情報を付加することが要求される従来の方法に比べて、さまざまな形式の画像データを扱うことが可能になり、汎用性を高めることができる。
【０１１４】
更に、画像データに特殊なグループ情報を付加する場合に比べて画像データに付随させるデータのサイズを小さくすることができるため、画像データを格納する記録媒体やメモリの容量を節約することができる。
【０１１５】
また、本実施形態によれば、撮像部２で撮像された画像データがファイルとしてメモリカード５に格納されており、撮影時刻に関わるデータ（最新更新時刻、最新更新日付）は、メモリカード５におけるファイルの格納領域を特定するためのデータ（例えばディレクトリエントリ２０７におけるファイル名や開始クラスタ番号など）に関連付けてメモリカード５に格納されている。
画像データが収められたファイルにアクセスする前には、上述したファイル特定用のデータにアクセスし、どのようなファイルがどこに格納されているのかを把握する必要がある。本実施形態では、このファイル特定用の情報にアクセスする段階で、撮影時刻を示すデータを取得し、これに基づいた画像のグループ化を行うことができるため、ファイルを開いてその中に含まれるグループ情報を読み出さなければ処理を進めることができない従来の方法に比べて、処理を大幅に簡易化することができる。これにより、グループ化に要する処理時間を短縮し、操作性の向上を図ることができる。
【０１１６】
上述のグループ抽出処理に用いる撮影時刻に関わるデータは、例えば、画像ファイル内の所定領域に格納されるデータを用いても良い。例えば、画像ファイル内のヘッダに含まれるＥｘｉｆ等の情報（図６の「撮影日時」など）を用いることも可能である。
しかしながら、この場合、撮影時刻に関わるデータを取得するために、まずディレクトリエントリ２０７とファイルアロケーションテーブル２０３を参照して、クラスタに分割された画像データを再構成し、その画像データのヘッダから「撮影日時」のデータを取得するという手順が必要となる。すなわち、データの属する階層が深くなるため、これを取得するために要する時間が長くなる。例えば１００の画像ファイルを含む連続撮影グループが存在する場合、そのグループ表示を行うためには、１００の画像ファイルのヘッダ情報を全て参照し、撮影時刻を確認しなくてはならない。そのため、処理時間が非常に長くなってしまう。
これに対し、ディレクトリエントリ２０７等のファイル管理領域に含まれるデータを用いてグループ抽出処理を行う方法によれば、クラスタに分割された画像データを再構成する手順や、画像データ中のヘッダを参照する手順を省略することができる。また、ファイルアクセスに必要な情報（ファイル名、ファイルの種類、開始クラスタ番号など）を取得する処理と並行して、グループ抽出処理に必要なデータを取得できる。そのため、メモリカード５に多数の画像データが格納されている場合でも、非常に高速にそれらのグループ分けを行うことができる。
【０１１７】
加えて、上述した実施形態によれば、ファイル名に含まれる撮影順序の情報に基づいて、各画像データの撮影順序が連続していないと判定される画像データが別のグループとして抽出されるため、連続撮影された画像同士をより正確に１つのグループとして抽出することができる。
また、画像データの記録形式に関わるデータ（拡張子など）に基づいて、異なる記録形式の画像データが別のグループとして抽出されるため、この点からも、連続撮影された画像同士をより正確に１つのグループとして抽出することができる。
【０１１８】
更に、上述した実施形態によれば、グループ表示が選択された場合、抽出された複数グループの画像が表示部７の画面１０１上にグループごとに並べて表示される。そして、連続撮影のグループについては、これに含まれる複数の画像データのうち少なくとも１つの画像データの画像が、このグループの代表画像として表示部７に表示される。
これにより、ユーザが容易に連続撮影の画像と単独撮影の画像とを見分けることが可能になり、連続撮影の各画像と単独撮影の画像とが混在して表示される場合と比べて、目的の画像が非常に検索し易くなる。
【０１１９】
また、上述した実施形態によれば、連続表示処理が実行された場合、抽出された複数グループの中から、入力されるユーザの指示に従って選択された１つのグループに含まれる複数の画像データの画像が、表示部７において順次に切り替えられて表示される。
これにより、連続撮影のグループに含まれる複数の画像から、目的の画像を容易に検索することが可能になる。
【０１２０】
以上、本発明の一実施形態について説明したが、本発明は上記の形態のみに限定されるものではなく、種々のバリエーションを含んでいる。
【０１２１】
上述の実施形態では、撮影時刻に関わるデータに基づいてグループを抽出する方法の一例として、撮影の時間間隔が所定の時間範囲内にある２つの画像データを同一のグループとして抽出する例が挙げられているが、本発明はこれに限定されない。
例えば、最も早い撮影時刻と最も遅い撮影時刻との差が所定の範囲内にある一連の画像データを同一のグループとして抽出しても良い。
【０１２２】
また、上述した実施形態では、グループ抽出処理に用いるデータとして、撮影時刻に関わるデータを用いる例が示されているが、本発明はこれに限定されない。少なくとも、撮影の順序と撮影の時間間隔とに関わるデータに基づいてグループ抽出処理を行うことが可能である。例えば、撮影の順番を示すデータと、各順番の間の時間間隔を示すデータとに基づいてグループ抽出処理を行っても良い。
【０１２３】
上述の実施形態において、制御部１は、撮像部２で撮像された画像データを階層ディレクトリ構造により管理されるファイルとしてメモリカード５に格納している。この場合、制御部１は、表示モードにおいて同一のグループとして抽出した画像データのファイルを、同一のディレクトリ下に格納し直しても良い。これにより、格納されるディレクトリが同一であることをもって同一グループであると判断できるため、処理を簡易化することができる。
【図面の簡単な説明】
【０１２４】
【図１】デジタルカメラに適用された本実施形態に係る画像表示装置ならびに撮像装置の一構成例を示す図である。
【図２】図１に示すデジタルカメラの外観の一例を示す図である。
【図３】メモリカードの記録フォーマットの一例を示す図である。
【図４】ディレクトリエントリに格納されるファイルの管理情報の一例を示す図である。
【図５】最新更新時刻および最新更新日付の詳細なデータ構造の一例を示す図である。
【図６】各画像ファイルに記録される撮影情報の一例を示す図である。
【図７】連続撮影処理の一例を図解した図である。
【図８】連写記録処理の一例を図解した図である。
【図９】表示モードにおける処理の一例を図解した図である。
【図１０】グループ抽出処理の一例を図解した図である。
【図１１】グループ抽出処理の具体例を説明するための図である。
【図１２】マルチ表示を説明するための図である。
【図１３】グループ表示を説明するための図である。
【図１４】連続表示処理の一例を図解した図である
【図１５】連続表示を説明するための図である。
【符号の説明】
【０１２５】
１…制御部（制御手段）、２…撮像部（撮像手段）、３…メモリ、４…外部インターフェース、５…メモリカード（記憶手段）、６…メモリカード・インターフェース部、７…表示部（表示手段）、８…マイク、９…スピーカ、１０…音声処理部、１１…測光・調光部、１２…ストロボ部、１３…キー入力部（インターフェース手段）、１４…ＬＥＤ表示部、１５…電源部。
【図１】
2006094284.tif 000003
【図２】
2006094284.tif 000004
【図３】
2006094284.tif 000005
【図４】
2006094284.tif 000006
【図５】
2006094284.tif 000007
【図６】
2006094284.tif 000008
【図７】
2006094284.tif 000009
【図８】
2006094284.tif 000010
【図９】
2006094284.tif 000011
【図１０】
2006094284.tif 000012
【図１１】
2006094284.tif 000013
【図１２】
2006094284.tif 000014
【図１３】
2006094284.tif 000015
【図１４】
2006094284.tif 000016
【図１５】
2006094284.tif 000017